(57)【特許請求の範囲】
【請求項１】
表示パネルと、該表示パネルの表面側から該表示パネルを支持する上フレームと、該表示パネルの裏面側から該表示パネルを支持する下フレームとを有する表示装置において、
該上フレーム又は該下フレームのうち、一方のフレームには突起部が形成され、他方のフレームには該突起部と係合する係合部が形成され、該上フレームと該下フレームとが該表示パネルを挟持する状態で嵌合された際には、該突起部と該係合部とが係合するよう構成され、
該係合部の近傍には、該上フレームと該下フレームとが外れる方向に相対的に移動した際に、該突起部と係合し、該上フレームと該下フレームとが完全に外れるのを防止する、少なくとも一つ以上の係合補助部が形成されていることを特徴とする表示装置。
【請求項２】
請求項１に記載の表示装置において、該上フレームは、該表示パネルの表示画面領域を取り囲む枠状部材であることを特徴とする表示装置。
【請求項３】
請求項１又は２に記載の表示装置において、該突起部は、前記一方のフレームの一部を折り曲げた爪状部材であり、該係合部及び該係合補助部は、前記他方のフレームの一部に形成された開口部であることを特徴とする表示装置。
【請求項４】
請求項１乃至３のいずれかに記載の表示装置において、該表示パネルは、液晶表示パネル又は有機エレクトロルミネッセンス表示パネルのいずれかであることを特徴とする表示装置。
【請求項５】
請求項４に記載の表示装置において、該表示パネルは、液晶表示パネルであり、該上フレームと該下フレームとの間には該液晶表示パネルとバックライトとが挟持されることを特徴とする表示装置。
【発明の詳細な説明】
【技術分野】
【０００１】
本発明は表示装置に関し、特に、表示パネルを上フレームと下フレームとで支持する構造を有する表示装置に関する。
【背景技術】
【０００２】
携帯電話、携帯情報端末（ＰＤＡ）、デジタルカメラ、マルチメディアプレーヤーなど、多くの携帯型の情報機器の表示装置に液晶モジュール（液晶表示装置）、有機エレクトロルミネッセンス表示装置などの各種表示装置が利用されている。
【０００３】
これらの薄型の表示装置には、モジュール強度を確保するため、例えば液晶表示パネル（ＬＣＤ）や、液晶表示パネルと該液晶表示パネルを照明するバックライトモジュールとを、該表示パネルの表面側と裏面側の両方から金属製のフレーム等で挟み込む構造が、広く利用されている。
【０００４】
図１は、表示装置モジュールの一例であり、液晶表示パネル又は有機エレクトロルミネッセンス表示パネル１を、上フレーム２と下フレーム（不図示）で挟み込んだ構造を例示している。図１（ａ）は表示装置モジュールの上面側の平面図であり、図１（ｂ）は側面図である。また、符号３は、表示パネル１を駆動するための電気信号等を供給する配線が形成された、フレキシブル・プリント回路（ＦＰＣ）である。
【０００５】
上下フレームの固定は、特許文献１に開示されているように、上側または下側のフレーム側面に嵌合用の爪（図１（ｂ）の点線部分参照）を設け、両者を組み合わせた際に他方のフレーム側面の穴に、該爪を引っかけることで嵌合、固定を行っている。図１（ａ）の一点鎖線Ａ−Ａ’における断面図を図２に示す。図２では、上フレーム２と下フレーム５とが嵌合しており、嵌合状態では、下フレームに設けられた突起部である爪５０が、上フレームの係合部である穴２０に係合している。上フレーム２と下フレーム５との間には、例えば、液晶表示パネル１とそれを照明するバックライト６とが支持されている。
【０００６】
図１及び２に示すような構成により、表示パネルの表示面への荷重に対し、液晶表示パネル１やバックライトモジュール６に加え、上下フレーム２，５で支持することが可能となり、液晶モジュール全体としての機械的強度を確保している。しかし、図２の矢印Ｂのような、表示面へ荷重が加わった際に、上フレーム自体の変位量や荷重によるフレーム側面部の拡がり（矢印Ｃ）によって、図３に示すように、上下フレームの嵌合が外れ、上フレーム２が矢印Ｄのように移動し、上フレーム２の支持が無くなることにより、強度が低下する問題を生じていた。特に、上フレーム２は、表示パネル１の表示画面領域に対応した部分が開口し、該表示画面領域の周囲を取り囲む枠状部材で構成されるため、外部からの荷重に対して変形し易く、上下フレームの嵌合状態が外れ易くなっている。
【先行技術文献】
【特許文献】
【０００７】
【特許文献１】特開平１０−３９２８０号公報
【発明の概要】
【発明が解決しようとする課題】
【０００８】
本発明の解決しようとする課題は、上述した問題を解消し、上下フレームの嵌合状態が、外部からの荷重に対しても容易に外れないよう構成し、表示モジュール全体の機械的強度を向上させた表示装置を提供することである。
【課題を解決するための手段】
【０００９】
上述した課題を解決するため、以下のような手段が利用可能である。
（１）表示パネルと、該表示パネルの表面側から該表示パネルを支持する上フレームと、該表示パネルの裏面側から該表示パネルを支持する下フレームとを有する表示装置において、該上フレーム又は該下フレームのうち、一方のフレームには突起部が形成され、他方のフレームには該突起部と係合する係合部が形成され、該上フレームと該下フレームとが該表示パネルを挟持する状態で嵌合された際には、該突起部と該係合部とが係合するよう構成され、該係合部の近傍には、該上フレームと該下フレームとが外れる方向に相対的に移動した際に、該突起部と係合し、該上フレームと該下フレームとが完全に外れるのを防止する、少なくとも一つ以上の係合補助部が形成されていることを特徴とする。
【００１０】
（２）上記（１）に記載の表示装置において、該上フレームは、該表示パネルの表示画面領域を取り囲む枠状部材であることを特徴とする。
【００１１】
（３）上記（１）又は（２）に記載の表示装置において、該突起部は、前記一方のフレームの一部を折り曲げた爪状部材であり、該係合部及び該係合補助部は、前記他方のフレームの一部に形成された開口部であることを特徴とする。
【００１２】
（４）上記（１）乃至（３）のいずれかに記載の表示装置において、該表示パネルは、液晶表示パネル又は有機エレクトロルミネッセンス表示パネルのいずれかであることを特徴とする。
【００１３】
（５）上記（４）に記載の表示装置において、該表示パネルは、液晶表示パネルであり、該上フレームと該下フレームとの間には該液晶表示パネルとバックライトとが挟持されることを特徴とする。
【発明の効果】
【００１４】
本発明のように、上フレーム又は下フレームのうち、一方のフレームには突起部が形成され、他方のフレームには該突起部と係合する係合部が形成され、該係合部の近傍には、該上フレームと該下フレームとが外れる方向に相対的に移動した際に、該突起部と係合し、該上フレームと該下フレームとが完全に外れるのを防止する、少なくとも一つ以上の係合補助部が形成しているため、上下フレームの嵌合状態を維持することができ、表示モジュール全体の機械的強度が低下するのを防止することが可能となる。
【図面の簡単な説明】
【００１５】
【図１】表示装置全体の概略を示す平面図（ａ）と側面図（ｂ）である。
【図２】図１の表示装置における一点鎖線Ａ−Ａ’での断面図である。
【図３】図２に示す表示装置の上下フレームが外れた状態を説明する図である。
【図４】本発明の表示装置の一例を示す断面図である。
【図５】図４の表示装置の上下フレームが完全に外れることを防止できることを説明する図である。
【図６】本発明の表示装置の他の例を示す断面図である。
【発明を実施するための形態】
【００１６】
本発明の表示装置について、以下に詳細に説明する。
本発明の表示装置は、図４に示すように、表示パネル１と、該表示パネルの表面側から該表示パネルを支持する上フレーム２と、該表示パネルの裏面側から該表示パネルを支持する下フレーム５とを有する表示装置において、該上フレーム又は該下フレームのうち、一方のフレームには突起部５０が形成され、他方のフレームには該突起部と係合する係合部２１が形成され、該上フレームと該下フレームとが該表示パネルを挟持する状態で嵌合された際には、該突起部５０と該係合部２１とが係合するよう構成され、該係合部の近傍には、該上フレームと該下フレームとが外れる方向に相対的に移動した際に、該突起部と係合し、該上フレームと該下フレームとが完全に外れるのを防止する、少なくとも一つ以上の係合補助部２２が形成されていることを特徴とする。
【００１７】
本発明の表示装置の特徴は、図４のように、係合部２１の近傍に、係合補助部２２を設けることである。これにより、仮に、上フレーム２に外部から荷重が加わり、係合部２１から突起部５０が外れた場合でも、図５に示すように、係合補助部２２と突起部５０とが係合するため、上下フレームの嵌合が完全に外れることが防止でき、表示モジュール全体の機械的強度の低下を抑制することが可能となる。しかも、係合補助部２２と突起部５０とが係合した状態で、再度、上下フレームに荷重が加わると、上下フレームが互いに近接することで、突起部５０は係合部２１に移動して元の嵌合状態に復元することも可能となる。
【００１８】
係合補助部２２は、係合部２１の近傍で、特に、上下フレームが嵌合が外れる方向（図５の矢印Ｄの方向）に移動した際に、突起部５０が移動する経路上に形成される。また、係合補助部２２は、一つに限らず複数配置しても良い。
【００１９】
本発明の表示装置に適用される突起部としては、上下フレームを金属材料で構成する場合には、フレームの一部を切り起した爪状部材や、プレス成形により形成した凸状部材などが利用可能である。また、係合部としては、図４に示すような打ち抜き加工による開口や、プレス成形により形成した凹状部材などが利用可能である。上フレーム又は下フレームを樹脂で成形する場合はモールド成形や射出成形で成形できる。本実施例では上フレームと下フレームを金属材料で形成した場合について説明しているが、上下フレームを樹脂製のフレームで構成しても良い。また、上フレームに金属製のフレームを用い、下フレームについては、バックライトを収納した樹脂製のフレームで構成してもよい。
【００２０】
上フレーム２の形状としては、特に、表示パネル１の表示画面領域を取り囲む枠状部材である場合には、本発明が好適に適用可能である。つまり、図３を用いて説明したように、上フレームの枠状部分に荷重をかけると、上フレームの側面部分は容易に外側に拡がり、突起部と係合部との係合関係が解除されることとなる。このような、上フレームの欠点と補完するため、本発明の係合補助部を設けることは、特に、有効である。
【００２１】
図４では、下フレーム５に突起部５０が形成され、上フレーム２に係合部２１が形成されているが、本発明の表示装置は、これに限らず、図６に示すように、上フレーム２に突起部２３を形成し、下フレーム５に係合部５１を形成することも可能である。同様に、係合補助部５２を設けることで、上下フレームの嵌合状態が完全に外れることを防止することが可能となる。
【００２２】
本発明の表示装置に使用される表示パネルは、液晶表示パネルや有機エレクトロルミネッセンス表示パネルなど、薄型の表示パネルであれば、いずれでも好適に利用可能である。特に、表示パネルが液晶表示パネルである場合には、液晶表示パネルのみを上下フレームで挟持することも可能であるが、図４又は図６に示すように、上フレーム２と下フレーム５との間には液晶表示パネル１とバックライト７とを挟持するよう構成することも可能である。
【産業上の利用可能性】
【００２３】
以上のように、本発明によれば、上下フレームの嵌合状態が、外部からの荷重に対しても容易に外れないよう構成し、表示モジュール全体の機械的強度を向上させた表示装置を提供することが可能となる。
【符号の説明】
【００２４】
１  表示パネル
２  上フレーム
３  フレキシブル・プリント回路
５  下フレーム
５０  突起部
２１  係合部
２２  係合補助部
【図１】
0005411071.tif 000002
【図２】
0005411071.tif 000003
【図３】
0005411071.tif 000004
【図４】
0005411071.tif 000005
【図５】
0005411071.tif 000006
【図６】
0005411071.tif 000007